(57)【特許請求の範囲】
【請求項１】
入力されるホッピング制御信号からホッピングの可又は不可を判断し、ホッピング可の場合に動作制御信号を出力する制御器と、
基準信号を発振する基準発振器と、
前記動作制御信号により作動し、前記基準信号に従って周波数切り換えのタイミングを周波数切換制御信号として発生させるタイミング信号発生器と、
前記動作制御信号により作動し、前記基準信号に従い、前記周波数切換制御信号により特定パターンで周波数切換信号を発生させる周波数切換信号発生器と、
前記ホッピング制御信号を前記制御器に入力し、前記タイミング信号発生器からの周波数切換制御信号を出力し、前記周波数切換信号発生器からの周波数切換信号を出力する入出力器とを有し、
ホッピング不可の場合に、別の制御器から周波数切換信号及び周波数切換制御信号が出力され、当該周波数切換信号に従って動作周波数を決定するための周波数信号と当該周波数切換制御信号が受信部及び送信部に出力されてＡＭ方式の送受信が為されることを特徴とする周波数ホッピング機能付加装置。
【請求項２】
タイミング信号発生器は、周波数切換信号発生器に出力する実際のタイミングよりも特定時間早いタイミングで周波数切換制御信号を入出力器に出力することを特徴とする請求項１記載の周波数ホッピング機能付加装置。
【請求項３】
振幅変調を行うための周波数に切り換える周波数切換信号を出力すると共に、周波数の切り換えタイミングを指示する周波数切換制御信号を出力する第１の制御器と、
入力されるホッピング制御信号からホッピングの可又は不可を判断し、ホッピング可の場合に動作制御信号を出力する第２の制御器と、基準信号を発振する基準発振器と、前記動作制御信号により作動し、前記基準信号に従って周波数切り換えのタイミングを周波数切換制御信号として発生させるタイミング信号発生器と、前記動作制御信号により作動し、前記基準信号に従い、前記周波数切換制御信号により特定パターンで周波数切換信号を発生させる周波数切換信号発生器と、前記ホッピング制御信号を前記第２の制御器に入力し、前記タイミング信号発生器からの周波数切換制御信号を出力し、前記周波数切換信号発生器からの周波数切換信号を出力する入出力器とを有する周波数ホッピング機能付加装置と、
前記第１の制御器からの周波数切換信号と前記周波数ホッピング機能付加装置からの周波数切換信号とを入力し、ホッピング不可の場合は前記第１の制御器からの周波数切換信号を選択して出力し、ホッピング可の場合は前記周波数ホッピング機能付加装置からの周波数切換信号を選択して出力する第１のスイッチと、
前記第１の制御器からの周波数切換制御信号と前記周波数ホッピング機能付加装置からの周波数切換制御信号とを入力し、ホッピング不可の場合は前記第１の制御器からの周波数切換制御信号を選択して出力し、ホッピング可の場合は前記周波数ホッピング機能付加装置からの周波数切換制御信号を選択して出力する第２のスイッチと、
前記第１のスイッチから入力される周波数切換信号に従って周波数信号を出力する周波数信号発生器と、前記周波数信号に応じて同調し、前記第２のスイッチから入力される周波数切換制御信号のタイミングにより受信周波数を切り換える受信部と、
前記周波数信号に応じて同調し、前記第２のスイッチから入力される周波数切換制御信号のタイミングにより送信周波数を切り換える送信部と有することを特徴とするＡＭ無線機。
【発明の詳細な説明】
【０００１】
【発明の属する技術分野】
本発明は、周波数ホッピング機能を有するＡＭ無線機に係り、特に周波数ホッピング機能を容易に付加することができる周波数ホッピング機能付加装置及びＡＭ無線機に関する。
【０００２】
【従来の技術】
周波数ホッピングは、狭帯域変調信号を広帯域に拡散する周波数変換を行うものである。
従来の周波数ホッピング方式を実現する無線機について図３を用いて説明する。図３は、従来の周波数ホッピング方式の無線機の構成ブロック図である。
従来の無線機は、図３に示すように、制御器１１と、周波数信号発生器１２と、受信部１３と、送信部１４とから構成されている。
【０００３】
従来の無線機の各部を具体的に説明する。
制御器１１は、時々刻々と周波数を切り換えさせるために任意の周波数を決定し、特定パターンに従って特定周波数に切り換える周波数切換信号を周波数信号発生器１２に出力すると共に、周波数の切り換えタイミングを指示する周波数切換制御信号を受信部１３と送信部１４に出力する。
【０００４】
周波数信号発生器１２は、制御器１１から入力される周波数切換信号に従って受信部１３又は送信部１４における動作周波数（受信周波数又は送信周波数）を決定するための周波数信号を受信部１３及び送信部１４に出力する。
【０００５】
受信部１３は、周波数信号発生器１２からの周波数信号に応じて同調し、制御器１１からの周波数切換制御信号のタイミングにより受信周波数を切り換える。
送信部１４は、周波数信号発生器１２からの周波数信号に応じて同調し、制御器１１からの周波数切換制御信号のタイミングにより送信周波数を切り換える。
【０００６】
次に、従来の無線機における動作について説明する。
制御器１１は、時々刻々と周波数切換信号を特定パターンで変化させて周波数信号発生器１２に出力すると共に、周波数切換のタイミングを周波数切換制御信号として受信部１３及び送信部１４に出力する。
【０００７】
周波数信号発生器１２では、制御器１１から特定パターンで変化する周波数切換信号を入力し、この特定パターンに従った動作周波数となる周波数信号を受信部１３及び送信部１４に出力する。
【０００８】
周波数信号発生器１２から周波数信号と制御器１１から周波数切換制御信号を入力した受信部１３と送信部１４は、周波数信号に応じて同調して動作すると共に、周波数切換制御信号の切換タイミングにより周波数の切り換えを行う。
【０００９】
尚、従来の周波数ホッピング方式を実現する無線機としては、平成１０年（１９９８年）９月２５日公開の特開平１０−２５６９４３号「周波数ホッピング送信装置」（出願人：国際電気株式会社、発明者：井手輝二）がある。
この発明は、周波数ホッピング時の波形変化に伴うスペクトルの不要な広がりを軽減するために送信信号波形の整形を行う際に、波形整形データを格納したＲＯＭの読み出し速度によって波形整形の処理時間が制限されることを解消して、波形整形を高速・高精度に行う周波数ホッピング送信装置である。
【００１０】
上記周波数ホッピング送信装置においては、周波数ホッピング用の搬送波を用いて入力信号をＡＭ（振幅）変調するようになっている。但し、周波数ホッピング送信装置とＡＭ送信装置とを並列に利用するようなものとはなっていなかった。
【００１１】
【発明が解決しようとする課題】
このように、上記従来の周波数ホッピング方式を実現する無線機では、ＡＭ無線機と周波数ホッピング方式の無線機を併用することまで考慮されておらず、ＡＭ無線機に容易に周波数ホッピング方式を付加することができないという問題点があった。
【００１２】
本発明は上記実情に鑑みて為されたもので、周波数ホッピング機能を容易に付加できる周波数ホッピング機能付加装置及びＡＭ無線機を提供することを目的とする。
【００１３】
【課題を解決するための手段】
上記従来例の問題点を解決するための本発明は、制御器が入力されるホッピング制御信号からホッピングの可又は不可を判断し、ホッピング可の場合に動作制御信号を出力し、基準発振器が基準信号を発振し、タイミング信号発生器が動作制御信号により作動し、基準信号に従って周波数切り換えのタイミングを周波数切換制御信号として発生させ、周波数切換信号発生器が動作制御信号により作動し、基準信号に従い、周波数切換制御信号により特定パターンで周波数切換信号を発生させ、入出力器がホッピング制御信号を制御器に入力し、タイミング信号発生器からの周波数切換制御信号を出力し、周波数切換信号発生器からの周波数切換信号を出力し、ホッピング不可の場合に、別の制御器から周波数切換信号及び周波数切換制御信号が出力され、当該周波数切換信号に従って動作周波数を決定するための周波数信号と当該周波数切換制御信号が受信部及び送信部に出力されてＡＭ方式の送受信が為される周波数ホッピング機能付加装置としており、周波数ホッピング機能を容易に実現できる。
【００１４】
また、本発明は、上記周波数ホッピング機能付加装置を備え、制御器が振幅変調を行うための周波数に切り換える周波数切換信号を出力すると共に、周波数の切り換えタイミングを指示する周波数切換制御信号を出力し、第１のスイッチが制御器からの周波数切換信号と周波数ホッピング機能付加装置からの周波数切換信号とを入力し、ホッピング不可の場合は制御器からの周波数切換信号を選択して出力し、ホッピング可の場合は周波数ホッピング機能付加装置からの周波数切換信号を選択して出力し、第２のスイッチが制御器からの周波数切換制御信号と周波数ホッピング機能付加装置からの周波数切換制御信号とを入力し、ホッピング不可の場合は制御器からの周波数切換制御信号を選択して出力し、ホッピング可の場合は周波数ホッピング機能付加装置からの周波数切換制御信号を選択して出力し、周波数信号発生器が第１のスイッチから入力される周波数切換信号に従って周波数信号を出力し、受信部が周波数信号に応じて同調し、第２のスイッチから入力される周波数切換制御信号のタイミングにより受信周波数を切り換え、送信部が周波数信号に応じて同調し、第２のスイッチから入力される周波数切換制御信号のタイミングにより送信周波数を切り換えるＡＭ無線機としていおり、周波数ホッピング機能を容易に付加できる。
【００１５】
【発明の実施の形態】
本発明の実施の形態を図面を参照しながら説明する。
尚、以下で説明する回路は、その機能の一部又は全部をソフトウェアで実現することも可能である。更に、これら回路を複数の回路によって実現してもよく、また複数の回路をまとめて単一の回路で実現するようにしてもよい。
【００１６】
本発明の実施の形態に係る周波数ホッピング機能付加装置は、ホッピングの可又は不可を判断してホッピング可の場合に周波数切換信号と周波数切換制御信号を出力するものであり、周波数ホッピング機能を容易に実現できる。また、この周波数ホッピング機能付加装置はＡＭ無線機に付加することも可能である。
【００１７】
本発明の実施の形態に係るＡＭ無線機は、周波数ホッピング機能を実現するために必要な周波数切換信号及び周波数切換制御信号を出力する周波数ホッピング機能付加装置と、これら信号を周波数ホッピング可の状態で周波数信号発生器と受信部及び送信部に選択して出力するものであり、周波数ホッピング機能付加装置により周波数ホッピング機能を容易に付加でき、通常はＡＭ無線機として利用できるが、ホッピング可の場合は周波数ホッピング機能をも簡易に利用できるものである。
【００１８】
本発明の実施の形態に係る周波数ホッピングのＡＭ無線機（本ＡＭ無線機）について、図１を用いて説明する。図１は、本発明の実施の形態に係る周波数ホッピングのＡＭ無線機の構成ブロック図である。
本ＡＭ無線機は、図１に示すように、制御器２１と、周波数信号発生器２２と、受信部２３と、送信部２４と、スイッチ（ＳＷ）２５と、スイッチ（ＳＷ）２６と、周波数ホッピング機能付加装置２７とから構成されている。
【００１９】
尚、本ＡＭ無線機は、周波数ホッピング可の場合又は周波数ホッピング不可の場合に動作形態が分かれるものであり、特に周波数ホッピング可の場合に、周波数ホッピング機能付加装置２７、ＳＷ２５、ＳＷ２６が動作して、周波数ホッピング機能付加装置２７からの周波数切換信号がＳＷ２５を介して周波数信号発生器２２に供給され、周波数ホッピング機能付加装置２７からの周波数切換制御信号がＳＷ２６を介して受信部２３及び送信部２４に供給されて、周波数ホッピング方式を実現している。
【００２０】
次に、本ＡＭ無線機の各部を具体的に説明する。
制御器２１は、通常、ＡＭ変調（振幅変調）を行うための周波数に切り換える周波数切換信号をＳＷ２５を介して周波数信号発生器２２に出力すると共に、周波数の切り換えタイミングを指示する周波数切換制御信号をＳＷ２６を介して受信部２３と送信部２４に出力する。
【００２１】
周波数信号発生器２２は、制御器２１又は周波数ホッピング機能付加装置２７からＳＷ２５を介して入力される周波数切換信号に従って受信部２３又は送信部２４における動作周波数（受信周波数又は送信周波数）を決定するための周波数信号を受信部２３及び送信部２４に出力する。
【００２２】
受信部２３は、周波数信号発生器２２からの周波数信号に応じて同調し、制御器２１又は周波数ホッピング機能付加装置２７からＳＷ２６を介して入力される周波数切換制御信号のタイミングにより受信周波数を切り換える。
【００２３】
送信部２４は、周波数信号発生器２２からの周波数信号に応じて同調し、制御器２１又は周波数ホッピング機能付加装置２７からＳＷ２６を介して入力される周波数切換制御信号のタイミングにより送信周波数を切り換える。
【００２４】
スイッチ（ＳＷ）２５は、請求項における第１のスイッチに相当し、ホッピング不可の場合には制御器２１から入力される周波数切換信号を周波数信号発生器２２に出力し、ホッピング可の場合には周波数ホッピング機能付加装置２７から入力される周波数切換信号を周波数信号発生器２２に出力する。
【００２５】
スイッチ（ＳＷ）２６は、請求項における第２のスイッチに相当し、ホッピング不可の場合には制御器２１から入力される周波数切換制御信号を受信部２３及び送信部２４に出力し、ホッピング可の場合には周波数ホッピング機能付加装置２７から入力される周波数切換制御信号を受信部２３及び送信部２４に出力する。
【００２６】
周波数ホッピング機能付加装置２７は、ＡＭ無線機において周波数ホッピング機能を実現するために付加装置であり、外部から周波数ホッピングを行うためのホッピング制御信号が入力されると、周波数ホッピングのために必要な周波数切換信号及び周波数切換制御信号を生成し、ＳＷ２５とＳＷ２６に出力する。
【００２７】
本ＡＭ無線機における動作を説明する。
本ＡＭ無線機は、ホッピング不可の場合、制御器２１から周波数切換信号がＳＷ２５を介して周波数信号発生器２２に出力され、また制御器２１から周波数切換制御信号がＳＷ２６を介して受信部２３及び送信部２４に出力される。
そして、周波数信号発生器２２では、入力される周波数切換信号に従って周波数信号が受信部２３及び送信部２４に出力され、受信部２３及び送信部２４では、入力される周波数信号と周波数切換制御信号によりＡＭ方式の送受信の動作が為される。
【００２８】
本ＡＭ無線機は、ホッピング可の場合、周波数ホッピング機能付加装置２７から周波数切換信号がＳＷ２５を介して周波数信号発生器２２に出力され、また周波数ホッピング機能付加装置２７から周波数切換制御信号がＳＷ２６を介して受信部２３及び送信部２４に出力される。
そして、周波数信号発生器２２では、入力される周波数切換信号に従って周波数信号が受信部２３及び送信部２４に出力され、受信部２３及び送信部２４では、入力される周波数信号と周波数切換制御信号により周波数ホッピングの送受信の動作が為される。
【００２９】
次に、周波数ホッピング機能付加装置２７について図２を用いて説明する。図２は、本発明の実施の形態に係る周波数ホッピング機能付加装置２７の構成ブロック図である。
周波数ホッピング機能付加装置２７は、図２に示すように、制御器３１と、入出力器３２と、タイミング信号発生器３３と、周波数切換信号発生器３４と、基準発振器３５とから構成されている。
【００３０】
周波数ホッピング機能付加装置２７の各部を具体的に説明する。
制御器３１は、外部から入力されるホッピング制御信号を入出力器３２を介して入力し、ホッピング可又は不可を判断する。そして、制御器３１は、ホッピング可であればタイミング信号発生器３３と周波数切換信号発生器３４を作動状態にする。
また、制御器３１は、ホッピング可を判断すると、ＳＷ２５，２６に対して周波数ホッピング機能付加装置２７からの入力信号を周波数信号発生器２２と受信部２３及び送信部２４に出力するようスイッチの切換制御を行う。
【００３１】
ＳＷ２５，２６の切換制御は、上述のように制御器３１からの制御によって行うことが考えられるが、周波数ホッピング機能付加装置２７から周波数切換信号及び周波数切換制御信号の入力があった場合に、これら入力信号を優先して選択出力するようにしても構わない。
【００３２】
入出力器３２は、外部と制御器３１との間でホッピング制御信号の入出力を行い、またタイミング信号発生器３３からの周波数切換制御信号をＳＷ２６に出力し、また周波数切換信号発生器３４からの周波数切換信号をＳＷ２５に出力する。
【００３３】
タイミング信号発生器３３は、制御器３１からの動作制御信号により動作し、基準発振器３５から入力される基準信号に従って周波数切り換えのタイミングを周波数切換制御信号として入出力器３２と周波数切換信号発生器３４に出力する。
具体的には、入出力器３２を介してＳＷ２６に入力される周波数切換制御信号は、周波数切り換えのタイミングから前倒しした任意の時間（実際の切換タイミングより早めの時間）に出力され、周波数切換信号発生器３４に入力される周波数切換制御信号は、真（実際）の周波数切り換えタイミングで出力される。上記任意の時間とは、主に周波数信号発生器２２で周波数信号を発生させるのに必要な時間分ということになる。
【００３４】
周波数切換信号発生器３４は、制御器３１からの動作制御信号により動作し、基準発振器３５から入力される基準信号に従い、タイミング信号発生器３３から入力されるタイミング信号（周波数切換制御信号）のタイミングにより特定のパターンで周波数の切り換えを行う周波数切換信号を発生し、入出力器３２を介してＳＷ２５に出力する。
【００３５】
基準発振器３５は、基準信号を発振し、タイミング信号発生器３３及び周波数切換信号発生器３４に出力する。
【００３６】
周波数ホッピング機能付加装置２７の動作を説明する。
制御器３１は、入出力器３２を介して外部から入力されるホッピング制御信号からホッピングの可又は不可を判断し、ホッピング可であればタイミング信号発生器３３と周波数切換信号発生器３４に動作制御信号を出力する。
【００３７】
タイミング信号発生器３３は、制御器３１から入力される動作制御信号により作動し、基準発振器３５から入力される基準信号に従って周波数切り換えのタイミングをタイミング信号として周波数切換信号発生器３４と入出力器３２に出力する。但し、上述したように、入出力器３２に出力されるタイミング信号は周波数切換信号発生器３４に出力されるタイミング信号より特定時間早いタイミングで出力される。
【００３８】
周波数切換信号発生器３４は、制御器３１から入力される動作制御信号により作動し、基準発振器３５から入力される基準信号に従い、タイミング信号発生器３３からのタイミング信号により、特定のパターンで周波数を切り換える周波数切換信号を入出力器３２に出力する。
【００３９】
入出力器３２は、タイミング信号発生器３３からのタイミング信号を周波数切換制御信号としてＳＷ２６に出力すると共に、周波数切換信号発生器３４からの周波数切換信号をＳＷ２５に出力する。
【００４０】
周波数ホッピング機能付加装置２７は、入力されるホッピング制御信号によりホッピング可又は不可を判断し、可の場合にＡＭ無線機の制御器２１に代わって周波数切換信号を周波数信号発生器２２に出力し、周波数切換制御信号を受信部２３と送信部２４に出力しているので、容易に周波数ホッピング機能を実現でき、制御器２１が周波数ホッピング機能を備えていなくても、ＡＭ無線機に簡単に周波数ホッピングの機能を付加できる効果がある。
【００４１】
本ＡＭ無線機によれば、ＡＭ無線機に上記周波数ホッピング機能付加装置２７とＳＷ２５，２６を付加するだけで、容易に周波数ホッピング機能を備えることができる効果がある。
【００４２】
【発明の効果】
本発明によれば、制御器が入力されるホッピング制御信号からホッピングの可又は不可を判断し、ホッピング可の場合に動作制御信号を出力し、基準発振器が基準信号を発振し、タイミング信号発生器が動作制御信号により作動し、基準信号に従って周波数切り換えのタイミングを周波数切換制御信号として発生させ、周波数切換信号発生器が動作制御信号により作動し、基準信号に従い、周波数切換制御信号により特定パターンで周波数切換信号を発生させ、入出力器がホッピング制御信号を制御器に入力し、タイミング信号発生器からの周波数切換制御信号を出力し、周波数切換信号発生器からの周波数切換信号を出力し、ホッピング不可の場合に、別の制御器から周波数切換信号及び周波数切換制御信号が出力され、当該周波数切換信号に従って動作周波数を決定するための周波数信号と当該周波数切換制御信号が受信部及び送信部に出力されてＡＭ方式の送受信が為される周波数ホッピング機能付加装置としているので、周波数ホッピング機能を容易に実現できる効果がある。
【００４３】
また、本発明によれば、上記周波数ホッピング機能付加装置を備え、制御器が振幅変調を行うための周波数に切り換える周波数切換信号を出力すると共に、周波数の切り換えタイミングを指示する周波数切換制御信号を出力し、第１のスイッチが制御器からの周波数切換信号と周波数ホッピング機能付加装置からの周波数切換信号とを入力し、ホッピング不可の場合は制御器からの周波数切換信号を選択して出力し、ホッピング可の場合は周波数ホッピング機能付加装置からの周波数切換信号を選択して出力し、第２のスイッチが制御器からの周波数切換制御信号と周波数ホッピング機能付加装置からの周波数切換制御信号とを入力し、ホッピング不可の場合は制御器からの周波数切換制御信号を選択して出力し、ホッピング可の場合は周波数ホッピング機能付加装置からの周波数切換制御信号を選択して出力し、周波数信号発生器が第１のスイッチから入力される周波数切換信号に従って周波数信号を出力し、受信部が周波数信号に応じて同調し、第２のスイッチから入力される周波数切換制御信号のタイミングにより受信周波数を切り換え、送信部が周波数信号に応じて同調し、第２のスイッチから入力される周波数切換制御信号のタイミングにより送信周波数を切り換えるＡＭ無線機としているので、周波数ホッピング機能を容易に付加できる効果がある。
【図面の簡単な説明】
【図１】本発明の実施の形態に係る周波数ホッピングのＡＭ無線機の構成ブロック図である。
【図２】本発明の実施の形態に係る周波数ホッピング機能付加装置２７の構成ブロック図である。
【図３】従来の周波数ホッピング方式の無線機の構成ブロック図である。
【符号の説明】
１１，２１…制御器、  １２，２２…周波数信号発生器、  １３，２３…受信部、  １４，２４…送信部、  ２５，２６…スイッチ（ＳＷ）、  ２７…周波数ホッピング機能付加装置、  ３１…制御器、  ３２…入出力器、  ３３…タイミング信号発生器、  ３４…周波数切換信号発生器、  ３５…基準発振器
【図１】
0004450937.tif 000002
【図２】
0004450937.tif 000003
【図３】
0004450937.tif 000004